(57)【要約】      （修正有）【課題】情報端末装置の使用方法に工夫がなされた情報端末装置及びその情報処理方法を提供すること。【解決手段】情報端末装置は、第１のボディと、第２のボディと、ヒンジ軸と、接続部材とを具備する。前記第２のボディは、表示側と、前記表示側の反対側とを有する。前記ヒンジ軸は、前記第１のボディ及び前記第２のボディを回転可能に接続する。前記接続部材は、前記情報端末装置が４つの状態を取り得るように、記第１のボディ及び前記第２のボディを接続する。【選択図】図１
2013161255.tif 000002
【特許請求の範囲】
【請求項１】
第１のボディと、
表示側と、前記表示側の反対側とを有する第２のボディと、
前記第１のボディ及び前記第２のボディを回転可能に接続するヒンジ軸と、
前記第１のボディ及び第２のボディの相対的な姿勢状態のうち、前記反対側が情報端末装置の外側に向くようにして前記第１のボディ及び前記第２のボディが重なる第１の状態と、前記第１の状態から、前記第２のボディが前記第１のボディに対して前記ヒンジ軸を用いて相対的に回転移動する範囲にある前記情報端末装置の状態である第２の状態と、前記表示側が前記情報端末装置の外側に向くようにして前記第１のボディ及び前記第２のボディが重なる第３の状態と、前記第２の状態と前記第３の状態との間で、前記第２のボディの端部が前記ヒンジ軸に接離するように、前記第２のボディが前記第１のボディに相対的に移動する範囲にある前記情報端末装置の状態である第４の状態とを前記情報端末装置が取り得るように、前記第１のボディ及び前記第２のボディを接続する接続部材と
を具備する情報端末装置。
【請求項２】
請求項１に記載の情報端末装置であって、
前記第１、第２、第３及び第４の状態のうち、少なくとも１つの状態を検出する検出部をさらに具備する
情報端末装置。
【請求項３】
請求項２に記載の情報端末装置であって、
ソフトウェアを記憶する記憶部と、
前記検出部により検出された前記少なくとも１つの状態に応じて、前記記憶部に記憶された前記ソフトウェアを起動する制御部と
をさらに具備する情報端末装置。
【請求項４】
請求項２に記載の情報端末装置であって、
前記検出部は、前記第１、第２、第３及び第４の状態のうち、複数の状態を検出する
情報端末装置。
【請求項５】
請求項４に記載の情報端末装置であって、
複数のソフトウェアと、前記情報端末装置の前記複数の状態をそれぞれ示す情報とを対応付けて記憶する記憶部と、
前記複数のソフトウェアのうち、前記検出部により検出された、前記情報端末装置のいずれかの１つの状態を示す情報に対応するソフトウェアを起動する制御部と
をさらに具備する情報端末装置。
【請求項６】
請求項１に記載の情報端末装置であって、
前記接続部材は、前記ヒンジ軸と一体的に回転可能な、前記第２のボディに回転可能に接続された第１のアームと、前記第２のボディに回転可能に接続された第２のアームと、前記第１のアーム及び前記第２のアームを平行にリンクさせるリンクアームとを有する平行リンクである
情報端末装置。
【請求項７】
第１のボディと、表示側及び前記表示側の反対側を有する第２のボディと、前記第１のボディ及び前記第２のボディを回転可能に接続するヒンジ軸と、前記第１のボディ及び前記第２のボディを接続する接続部材とを備える情報端末装置の、前記第１のボディ及び第２のボディの相対的な姿勢状態のうち、前記反対側が前記情報端末装置の外側に向くようにして前記第１のボディ及び前記第２のボディが重なる第１の状態と、前記第１の状態から、前記第２のボディが前記第１のボディに対して前記ヒンジ軸を用いて相対的に回転移動する範囲にある前記情報端末装置の状態である第２の状態と、前記表示側が前記情報端末装置の外側に向くようにして前記第１のボディ及び前記第２のボディが重なる第３の状態と、前記第２の状態と前記第３の状態との間で、前記第２のボディの端部が前記ヒンジ軸に接離するように、前記第２のボディが前記第１のボディに相対的に移動する範囲にある前記情報端末装置の状態である第４の状態とのうち、少なくとも１つの状態を検出し、
前記検出された少なくとも１つの状態に応じてソフトウェアを起動する
情報処理方法。
【発明の詳細な説明】
【技術分野】
【０００１】
本技術は、ノート型ＰＣ（Personal Computer）等の情報端末装置及び情報処理方法に関する。
【背景技術】
【０００２】
特許文献１に記載の携帯機器は、操作キーを有する第１筐体（１０）と、表示パネルを有する第２筐体（２０）と、これらを連結する連結部材（３０）及び（４０）とを備えている。連結部材（３０）（（４０）も同様）は、その両端に設けられたヒンジユニット（５０）及び（６０）により、第１筐体（１０）及び第２筐体（２０）にそれぞれ回転可能に接続されている（例えば、特許文献１の明細書段落[００１３]〜[００１５]、図２及び３参照）。
【先行技術文献】
【特許文献】
【０００３】
【特許文献１】特開２０１０−６５８４０号公報
【発明の概要】
【発明が解決しようとする課題】
【０００４】
近年では、上記携帯機器等の情報端末装置の使用方法の多様性が高まっているため、そのニーズに応える必要性がある。
【０００５】
本技術の目的は、情報端末装置の使用方法に工夫がなされた情報端末装置及びその情報処理方法を提供することにある。
【課題を解決するための手段】
【０００６】
上記目的を達成するため、情報端末装置は、第１のボディと、第２のボディと、ヒンジ軸と、接続部材とを具備する。
前記第２のボディは、表示側と、前記表示側の反対側とを有する。
前記ヒンジ軸は、前記第１のボディ及び前記第２のボディを回転可能に接続する。
前記接続部材は、前記情報端末装置が次の４つの状態を取り得るように、記第１のボディ及び前記第２のボディを接続する。
第１の状態は、前記第１のボディ及び第２のボディの相対的な姿勢状態のうち、前記反対側が情報端末装置の外側に向くようにして前記第１のボディ及び前記第２のボディが重なる状態である。
第２の状態は、前記第１の状態から、前記第２のボディが前記第１のボディに対して前記ヒンジ軸を用いて相対的に回転移動する範囲にある前記情報端末装置の状態である。
第３の状態は、前記表示側が前記情報端末装置の外側に向くようにして前記第１のボディ及び前記第２のボディが重なる状態である。
第４の状態は、前記第２の状態と前記第３の状態との間で、前記第２のボディの端部が前記ヒンジ軸に接離するように、前記第２のボディが前記第１のボディに相対的に移動する範囲にある前記情報端末装置の状態である。
【０００７】
接続部材が、情報端末装置を４つの状態にできることにより、その情報端末の使用方法に多様性に対応することができる。
【０００８】
前記情報端末装置は、前記第１、第２、第３及び第４の状態のうち、少なくとも１つの状態を検出する検出部をさらに具備してもよい。
【０００９】
前記情報端末装置は、ソフトウェアを記憶する記憶部と、前記検出部により検出された前記少なくとも１つの状態に応じて、前記記憶部に記憶された前記ソフトウェアを起動する制御部とをさらに具備してもよい。
【００１０】
これにより、情報装置は、その情報端末装置の使用状態に応じたソフトウェアによるサービスをユーザに提供することができる。
【００１１】
前記検出部は、前記第１、第２、第３及び第４の状態のうち、複数の状態を検出してもよい。
【００１２】
前記情報端末装置は、複数のソフトウェアと、前記情報端末装置の前記複数の状態をそれぞれ示す情報とを対応付けて記憶する記憶部をさらに具備していもよい。その場合、前記情報端末装置は、前記複数のソフトウェアのうち、前記検出部により検出された、前記情報端末装置のいずれかの１つの状態を示す情報に対応するソフトウェアを起動する制御部とをさらに具備してもよい。
【００１３】
これにより、情報端末装置は、その情報端末装置の使用状態に応じてソフトウェアを切り替えて、そのソフトウェアによるサービスをユーザに提供することができる。
【００１４】
前記接続部材は、前記ヒンジ軸と一体的に回転可能な、前記第２のボディに回転可能に接続された第１のアームと、前記第２のボディに回転可能に接続された第２のアームと、前記第１のアーム及び前記第２のアームを平行にリンクさせるリンクアームとを有する平行リンクであってもよい。
【００１５】
これにより、第１のボディまたは第２のボディが、接続部材の動きに応じて動くことができる。
【００１６】
情報処理方法は、上記４つの状態のうち、少なくとも１つの状態を検出する。そして、前記検出された少なくとも１つの状態に応じてソフトウェアが起動される。
【発明の効果】
【００１７】
以上、本技術によれば、情報端末装置の使用方法に工夫がなされた情報端末装置及びその情報処理方法を実現できる。
【図面の簡単な説明】
【００１８】
【図１】図１は、本技術の一実施形態に係る情報端末装置（電子計算機）として、ノート型のＰＣを示す斜視図である。
【図２】図２は、本体に対して表示体が閉じた状態である状態のＰＣを示す斜視図である。
【図３】図３は、表示体の表示部が外側に向いた状態のＰＣを示す斜視図である。
【図４】図４は、図２に示した閉鎖状態のＰＣを示す側面図である。
【図５】図５は、図３に示したタブレット状態のＰＣを示す側面図である。
【図６】図６は、平行リンク機構の作動によって、水平面（あるいは垂直軸）に対して表示体が傾いた姿勢を維持している状態のＰＣを、側面から見た図である。
【図７】図７は、主に平行リンク機構を説明するための図であり、ＰＣを背面から見た斜視図である。
【図８】図８は、平行リンク機構の第１のアーム及び第２のアームの各肩部付近を、その内側から示す斜視図である。
【図９】図９は、クラムシェル開閉動作を示す図である。
【図１０】図１０は、クラムシェル開閉動作が可能なＰＣの状態における、スライド軸付近をＸ軸方向で見た図である。
【図１１】図１１Ａ〜Ｃはタブレット開閉動作を示す図である。
【図１２】図１２Ａ〜Ｃは、図１１Ａ〜Ｃの動作タイミングにそれぞれ対応する、平行リンク機構の動作を示す図である。
【図１３】図１３は、図１１Ａに示した状態にあるＰＣの斜視図である。
【図１４】図１４は、ＰＣの電気的なハードウェアの構成を示すブロック図である。
【図１５】図１５Ａは、さらに別の実施形態に係る情報端末装置（電子計算機）を示す背面右上からの斜視図である。図１５Ｂは、その表示体（表示部）が開いた状態を示す正面右上からの斜視図である。図１５Ｃは、その背面左底側からの斜視図である。
【図１６】図１６Ａ及びＢは、それぞれ、図１５に示した電子計算機が閉じた状態（閉鎖状態）の平面図及び底面図である。
【図１７】図１７Ａ、Ｂ及びＣは、それぞれ、図１５に示した電子計算機の、正面図、背面図及び左側面図である。右側面図は、左側面図と左右対称であるため、これを省略する。
【図１８】図１８Ａ及びＢは、それぞれ、図１５に示した電子計算機の表示体が開いた状態（図１５Ｂとは異なる角度の姿勢状態）を示す、正面右上側からの斜視図、及び、背面右上からの斜視図である。
【図１９】図１９Ａ及びＢは、図１８で示した表示体の姿勢状態にある電子計算機の平面図及び底面図である。
【図２０】図２０Ａ、Ｂ及びＣは、図１８で示した表示体の姿勢状態にある電子計算機の正面図、背面図及び左側面図である。右側面図は、左側面図と左右対称であるため、これを省略する。
【図２１】図２１Ａ及びＢは、それぞれ、図１５に示した電子計算機の表示体が別の状態（ビューワ状態）にある時の電子計算機を示す正面右上からの斜視図、及び、背面右上からの斜視図である。
【図２２】図２２Ａ及びＢは、図２１で示した表示体の姿勢状態にある電子計算機の平面図及び底面図である。
【図２３】図２３Ａ、Ｂ及びＣは、図２１で示した表示体の姿勢状態にある電子計算機の正面図、背面図及び左側面図である。右側面図は、左側面図と左右対称であるため、これを省略する。
【図２４】図２４は、図１５に示した電子計算機の表示体がさらに別の状態（タブレット状態）にある時の電子計算機を示す正面右上からの斜視図である。
【発明を実施するための形態】
【００１９】
以下、図面を参照しながら、本技術の実施形態を説明する。
【００２０】
[情報端末装置の構成]
【００２１】
図１は、本技術の一実施形態に係る情報端末装置（電子計算機）として、ノート型（クラムシェル型）のＰＣを示す斜視図である。
【００２２】
ＰＣ１００は、本体（第１のボディ）１１と、表示体（第２のボディ）１２と、これらを互いに接続する平行リンク機構（接続部材）２０とを備える。本体１１及び表示体１２は、概略的に、平板状であって直方体形状をそれぞれ有している。平行リンク機構２０は、このＰＣ１００の左右両側に一対設けられている。
【００２３】
典型的には、本体１１は、操作入力部として、キーボード１３及びタッチパッド１５等を有する。本体１１のケース内には、ＣＰＵ（Central Processing Unit）（図１４参照）等の回路チップを搭載したメイン回路基板等が設けられている。表示体１２の表示側には表示部１４が設けられている。その表示部１４には、例えばタッチパネル方式が採用される。キーボード１３及びタッチパッド１５の図示は、図１及び１３以外の図面において省略されている。
【００２４】
本体１１と表示体１２との通信は、図示しないケーブルやフレキシブル回路基板を介して行われる。この場合、ケーブル類は、例えばリンク機構を覆う図示しないカバー内に配置され得る。あるいは、本体１１及び表示体１２は、例えば近距離無線通信等、公知の無線通信技術を利用して通信してもよい。
【００２５】
図２は、本体１１に対して表示体１２が閉じた状態である状態のＰＣ１００を示す斜視図である。以下、この図２に示すＰＣの状態を閉鎖状態（第１の状態）という。閉鎖状態では、つまり、表示体１２の表示側とは反対側が、ＰＣ１００の外側に向くようにして本体１１及び表示体１２が重なる。
【００２６】
図３は、この表示体１２の表示部１４が外側に向いた状態のＰＣ１００を示す斜視図である。以下、この図３に示すＰＣの状態を、タブレット状態（第２の状態）という。タブレット状態では、表示体１２の表示側がＰＣ１００の外側に向くようにして本体１１及び表示体１２が重なる。
【００２７】
図４は、図２に示した閉鎖状態のＰＣ１００を示す側面図である。図５は、図３に示したタブレット状態のＰＣ１００を示す側面図である。
【００２８】
このように、このＰＣ１００では、表示体１２が本体１１に対して実質的に１８０°回転することにより、閉鎖状態とタブレット状態とが切り替わる。
【００２９】
以降の説明では、その説明の便宜のため、本体１１が載置される面を水平面（Ｘ−Ｙ平面）とし、この水平面に垂直な軸を垂直軸（Ｚ軸）とする。ＰＣ１００における、本体１１のＹ軸方向でのタッチパッド１５側を前（正面側）、キーボード１３側を後ろ（背面側）とする。また、以下の説明では、両方の平行リンク機構２０について説明する必要がない限り、一方の平行リンク機構２０のみを説明する。
【００３０】
図６は、平行リンク機構２０の作動によって、水平面（あるいは垂直軸）に対して表示体１２が傾いた姿勢を維持している状態のＰＣ１００を、側面から見た図である。図７は、主に平行リンク機構２０を説明するための図であり、ＰＣ１００を背面から見た斜視図である。
【００３１】
図７に示すように、本体１１の後端部には軸取付部１７が形成され、この軸取付部１７に回転ベースフレーム３０が回転可能に接続されている。
【００３２】
回転ベースフレーム３０は、回転軸となるヒンジ軸３０ｃと、ヒンジ軸３０ｃに平行に設けられたバー部３０ａと、このバー部３０ａの両端に設けられた平板状の一対の取付部３０ｂとを有する。ヒンジ軸３０ｃは本体１１の軸取付部１７にトルク（摩擦）を与えられて接続される。回転ベースフレーム３０の取付部３０ｂに、後述するように、両平行リンク機構２０の第１のアーム２１がそれぞれ連結されている。この場合、回転ベースフレーム３０は、連結部材として機能する。
【００３３】
平行リンク機構２０は、第１のアーム２１と、第２のアーム２２と、これらを平行にリンクさせるリンクアーム２３とを備える。
【００３４】
図６に示すように、第１のアーム２１は、肩部２１ａと、肩部２１ａから延びるように設けられたアーム部２１ｂとを有する。第２のアーム２２も、上記第１のアーム２１と類似の形状を有し、肩部２２ａとアーム部２２ｂとを有する。第１のアーム２１の肩部２１ａに、上記のように回転ベースフレーム３０の取付部３０ｂが固定されている。これにより、第１のアーム２１は、回転ベースフレーム３０のヒンジ軸３０ｃを中心に、回転ベースフレーム３０と一体的に回転可能となる。
【００３５】
リンクアーム２３は、その一端において接続軸２５により第１のアーム２１に回転可能に接続され、また、その他端においてスライド軸２６により第２のアーム２２に回転可能に接続されている。
【００３６】
図８は、第１のアーム２１及び第２のアーム２２の各肩部２１ａ付近を、その内側から示す斜視図である。図８では、回転ベースフレーム３０の図示を省略している。図６〜８に示すように、ＰＣ１００の外側から内側へ、第１のアーム２１の肩部２１ａ、第２のアーム２２の肩部２１ａ、リンクアーム２３、及び、回転ベースフレーム３０の取付部３０ｂが、順に配置されている。
【００３７】
本体１１の角部には、固定ベース４０が設けられている。固定ベース４０は、本体１１に固定されている。固定ベース４０は、底板４０ａと、底板４０ａのＸ軸方向の外側に形成されたガイド部４０ｂとを有する。スライド軸２６は、ガイド部４０ｂにスライド可能に接続されている。すなわち、ガイド部４０ｂは、スライド軸２６のスライドをガイドする。例えば、ガイド部４０ｂは、例えばＹ軸方向に沿って形成された長穴４０ｃを有し、スライド軸２６がその長穴４０ｃをスライド可能に配置されている。
【００３８】
固定ベース４０の底板４０ａのＸ軸方向の内側には、垂直板４０ｄが立設されている。この垂直板４０ｄに、上記回転ベースフレーム３０のヒンジ軸３０ｃが接続されている（図７及び８参照）。
【００３９】
図６及び７に示すように、第１のアーム２１及び第２のアーム２２の各アーム部２１ａ及び２１ｂは、それら各アーム部２１ａ及び２１ｂの先端の各軸部において、表示体１２に回転可能に接続されている。例えば、表示体１２の側面には、それらアーム部２１ａ及び２１ｂを接続する側部材２４が取り付けられている。側部材２４は、その長手方向が表示体１２の側面の長手方向に沿うように、本体１１に取り付けられている。つまり、これによりリンクアーム２３と、表示体１２の表示面とが平行になる。
【００４０】
図４に示すように、側部材２４における２つの軸２７及び２８間の距離ａ１と、接続軸２５及びスライド軸２６間の距離ａ２とが実質的に同じに設計されている。すなわち、第１のアーム２１、第２のアーム２２、リンクアーム２３及び側部材２４によって、平行リンク機構２０の四角形が形成される。例えば、この平行リンク機構２０の四角形が長方形になる時、第１のアーム２１及び第２のアーム２２の各アーム部２１ａ及び２１ｂは、水平面に対して４５°の角度をなす。この時、表示体１２の表示面も、それらアーム部２１ａ及び２１ｂに垂直で、かつ、水平面に対して４５°の角度をなす。
【００４１】
少なくとも第１のアーム２１の、その長手方向に垂直な断面は、概略Ｌ字形状に形成されている。第２のアーム２２の、その長手方向に垂直な断面は、概略Ｕ字（あるいは日本語のカタカナのコ字）形状に形成されている（図８参照）。第２のアーム２２の断面サイズは、第１のアーム２１の断面サイズより小さく形成されている。したがって、図４及び５に示すように、第１のアーム２１、第２のアーム２２、リンクアーム２３及び側部材２４が平行になる状態で、外側の第１のアーム２１内に第２のアーム２２が配置される。なお、第２のアーム２２の断面も、第１のアーム２１の断面形状と同様なＬ字形状であってもよい。
【００４２】
平行リンク機構２０に設けられた４つの軸（スライド軸２６、接続軸２５、軸部２７及び２８）において、平行リンク機構２０は、本体１１及び表示体１２にそれぞれ所定のトルク（摩擦力）を持って接続されている。したがって、本体１１に対する表示体１２が取り得る任意の姿勢において、ＰＣ１００は、そのトルクによりその任意の姿勢を維持することができる。
【００４３】
しかしながら後述するように、平行リンク機構２０の４つの各軸が、表示体１２を本体１１に対して任意の姿勢で維持できるようなトルクを有していなくてもよい。あるいは、後述するように、ストッパ等の機構により、表示体１２が図６のような姿勢を維持できてもよい。
【００４４】
図４に示した閉鎖状態で、スライド軸２６は、ガイド部４０ｂの長穴４０ｃの後端であるスライド後端４０ｆ（第１のスライド端）（図１０参照）に位置する。スライド後端４０ｆに位置するスライド軸２６は、回転ベースフレーム３０のヒンジ軸３０ｃに一致する。スライド軸２６がスライド後端４０ｆにある時、通常のノート型ＰＣ１００のように、表示体１２が本体１１に対して開閉可能な状態をとる。以下、この状態を便宜的に「クラムシェル状態」（第３の状態）といい、このような状態における表示体１２の開閉動作を、クラムシェル開閉動作という。
【００４５】
一方、図５に示したタブレット状態で、スライド軸２６は、ガイド部４０ｂの長穴４０ｃの前端であるスライド前端４０ｅ（第２のスライド端）に位置する。
【００４６】
[情報端末装置の機械的な動作]
【００４７】
以上のように構成されたＰＣ１００の機械的な動作について説明する。このＰＣ１００の機械的動作として、上述のクラムシェル開閉動作及びタブレット開閉動作の２つの開閉動作がある。
【００４８】
＜クラムシェル開閉動作＞
平行リンク機構２０の、第１のアーム２１、第２のアーム２２及びリンクアーム２３が平行になっており、かつ、スライド軸２６がガイド部４０ｂのスライド後端４０ｆに位置する状態が閉鎖状態である（図２及び４参照）。この状態から、ＰＣ１００は、上記したクラムシェル開閉動作が可能となる。
【００４９】
図９は、クラムシェル開閉動作を示す図である。図１０も参照して、第１のアーム２１、第２のアーム２２及びリンクアーム２３の平行状態が維持され、かつ、スライド軸２６がヒンジ軸３０ｃに一致した状態で、表示体１２、平行リンク機構２０及び回転ベースフレーム３０が一体的に動く。すなわち、クラムシェル開閉動作では、表示体１２及び平行リンク機構２０が、回転ベースフレーム３０のヒンジ軸３０ｃを中心に回転することにより、表示体１２が本体１１に対して開閉する。
【００５０】
＜タブレット開閉動作＞
図１１Ａ〜Ｃはタブレット開閉動作を示す図である。タブレット開閉動作は、平行リンク機構２０が作動することにより表示体１２が本体１１に対して動く動作である。タブレット開閉動作途中のＰＣ１００は、クラムシェル状態とタブレット状態との間で、表示体１４の端部（ヒンジ軸３０ｃに平行なエッジ部、つまり、上エッジ部または下エッジ部）が、そのヒンジ軸３０ｃに接離するように、表示体１２が本体１１に対して移動する範囲にあるＰＣ１００の状態（後述する第４の状態であるビューワ状態）を含む。
【００５１】
図１２Ａ〜Ｃは、図１１Ａ〜Ｃの動作タイミングにそれぞれ対応する、平行リンク機構２０の動作を示す図である。図１３は、図１１Ａに示した状態にあるＰＣ１００の斜視図である。
【００５２】
例えば、図１に示したように、表示体１２がＺ軸方向に沿って起立した状態（９０°の状態）から、ユーザは、タブレット開閉動作を開始することができる。また、ユーザは、ＰＣが図１１Ｃに示したタブレット状態から、表示体１２がＺ軸方向に沿って起立した状態になるように、平行リンク機構２０を作動させることができる。
【００５３】
図１に示す状態では、上記のようにスライド軸２６がヒンジ軸３０ｃに一致した状態にある。図１に示した状態から、平行リンク機構２０の作動によって、スライド軸２６がガイド部４０ｂのスライド前端４０ｅへ向けて移動するとともに、表示体１２の表示部１４の表示面を、本体１１とは反対側、つまり上側に向けるように、表示体１２が回転していく。この時のＰＣ１００の動作を、図１１Ａ〜Ｃ及び図１２Ａ〜Ｃに順に示している。図１１Ｂ及び図１２Ｂに示した状態は、図７に示した状態に対応する。
【００５４】
図１１Ｃ及び１２Ｃに示すＰＣ１００の状態は、図５に示す状態と同じである。この状態では、表示体１２の表示部１４が設けられる表示側とは反対側の面（反対面）１６が第１の本体１１に対面するように、本体１１と表示体１２とが重なる。つまり、その表示面が上方に向いた状態であり、ユーザはこのＰＣ１００をタブレットＰＣとして使用することができる。
【００５５】
以上のように、本実施形態に係るＰＣ１００は、図９に示すようなクラムシェル状態と、図３に示したタブレット状態とを、少なくとも取ることができる。そして、本体１１及び表示体１２が平行リンク機構２０により接続されているので、表示体１２が、本体１１に対して平行リンク機構２０の動きに応じて動くことができる。すなわち、平行リンク機構２０の各アーム２１及び２２の角度に応じて表示体１２の姿勢が決定されるので、表示体１２の姿勢を安定させることができる。
【００５６】
これに対して、上記した特許文献１に記載の機器では、第２筐体が３６０°以上回転してしまい、安定な姿勢を取れない。
【００５７】
本実施形態に係る平行リンク機構２０では、リンクアーム２３のスライド軸２６がガイド部４０ｂに沿ってスライドする。これにより、本体１１に対する表示体１２の姿勢を安定させながら、平行リンク機構２０が作動することができる。
【００５８】
左右一対の平行リンク機構２０は、回転ベースフレーム３０に固定されており、一体的に動くように構成されている。これにより、左右一対の平行リンク機構２０の動きが同期しやすくなるとともに、それらの剛性（第１のアーム２１同士の剛性）を高めることができる。その結果、表示体１２の動きの安定度が高まる。
【００５９】
本実施形態では、両平行リンク機構２０を連結する機能を有する回転ベースフレーム３０がヒンジ軸３０ｃを有する。したがって、別途の回転軸を設ける必要がなく、平行リンク機構２０の第１のアーム２１同士の剛性を高めつつ、ＰＣ１００の小型化を実現できる。
【００６０】
上記実施形態において、平行リンク機構２０の４つの軸（スライド軸２６、接続軸２５、軸部２７及び２８）のトルク（摩擦力）として、表示体１２が本体１１に対して任意の姿勢で維持できるようなトルクを有していなくてもよい。すなわち、その場合、図６及び１３に示すようにユーザが表示体１２を動かしている途中で、ＰＣ１００がその姿勢（図６及び１３に示した姿勢）を、それらの４つの軸のトルクのみでは保つことができない。この場合、ＰＣ１００のタブレット開閉状態の任意の姿勢において、上記４つの軸２５〜２８のトルク以外に、表示体１２と本体１１との動きを規制する図示しない規制部材をＰＣ１００が備えていてもよい。
【００６１】
この規制部材として、例えば表示体１２の下端部、及び、本体１１の対向面（表示体１２と対向する面、すなわち上面）１１ａ（図１３参照）のうち少なくとも一方に、ゴム等の摩擦係数の高い部材（あるいは機構）が設けられる。規制部材は、本体１１の対向面に設けられる場合、キーボード１３及びタッチパッド１５が配置される領域以外の領域配置されればよい。上記摩擦係数の高い部材の実現例として、本体１１の一部または全部が、摩擦係数の高い加工が施されていてもよい。
【００６２】
あるいは、規制部材として、表示体１２の下端部及び本体１１の対向面のうち少なくとも一方に、機械的または磁気的なストッパが設けられていてもよい。
【００６３】
機械的なストッパとは、例えば凸部、凹部、切り欠き、スライダ機構等である。スライダ機構とは、例えば表示体１２の角度が異なる複数段階で変えるための機構である。
【００６４】
磁気的なストッパとしては次のような実現例がある。表示体１２が、例えば図６及び１３に示すような位置で、その姿勢を保持できるように、例えば、表示体１２（または本体１１）の所定の位置に永久磁石が設けられ、本体１１（または表示体１２）の所定の位置に強磁性体が設けられていればよい。
【００６５】
[情報端末装置の電気的なハードウェアの構成]
【００６６】
図１４は、ＰＣ１００の電気的なハードウェアの構成を示すブロック図である。
【００６７】
ＰＣ１００において、ＣＰＵ１０１、ＲＯＭ（Read Only Memory）１０２、ＲＡＭ（Random Access Memory）１０３は、バス１０４により相互に接続されている。主としてＣＰＵ１０１が制御部として機能する。
【００６８】
バス１０４には、さらに、入出力インタフェース１０５が接続されている。入出力インタフェース１０５には、キーボード１３、タッチパッド１５、表示部１４のタッチパネル等の入力部１０７が接続されている。また、入出力インターフェース１０５には、記憶部１０８、通信部１０９、リムーバブルメディアを駆動するドライブ部１１０等が接続されている。さらに、バス１０４には後述する検出部１１１が接続されている。
【００６９】
このように構成されるコンピュータでは、ＣＰＵ１０１が、例えば、記憶部１０８に記憶されているソフトウェアを、入出力インタフェース１０５及びバス１０４を介して、ＲＡＭ１０３にロードして実行することにより、ソフトウェアが起動される。
【００７０】
[情報端末装置に適用されるソフトウェアの形態]
【００７１】
この情報端末装置としてのＰＣ１００は、基本的に以下の４つ状態を取り得る。
【００７２】
（１）閉鎖状態（第１の状態）（図２参照）
（２）クラムシェル状態（第２の状態）（図１及び９参照）
（３）タブレット状態（第３の状態）（図３参照）
（４）ビューワ状態（第４の状態）（例えば図１１Ａ及び１３参照）
【００７３】
ビューワ状態は、ユーザが、ＰＣ１００に操作入力を行うことよりも、表示体１２の表示部１４を観る（閲覧）することを主目的として取られる状態である。ビューワ状態は、例えばユーザが、表示部１４に表示される、映画、ＴＶ放送等、その他の画像（動画及び静止画を含む）等を観る時に取られ得る。
【００７４】
ビューワ状態では、例えば図１３に示すように、Ｚ軸方向で見て表示体１２がキーボード１３を隠し、タッチパッド１５を隠さない状態になる。しかしビューワ状態は、タブレット開閉動作が可能な状態において、表示体１２が、本体１１に対して所定の角度、あるいは、ユーザが選択して設定した角度等、任意の姿勢にある状態で定義され得る。
【００７５】
もちろん後述するように、ＰＣ１００は、ビューワ状態にあっても、少なくともタッチパッド１５等を介してユーザの操作入力を受け付けるようにしてもよい。
【００７６】
ＣＰＵ１０１は、ＰＣ１００の状態が上記（１）〜（４）のうちいずれの状態（いずれか少なくとも１つの状態）にあるか検出部１１１により検出し、検出されたＰＣ１００の状態に応じて、ソフトウェアの起動または切り替えを行ってもよい。
【００７７】
例えば、ＣＰＵ１０１は、ＰＣ１００の状態が上記（２）〜（４）のうちいずれの状態にあるかを検出し、検出されたＰＣ１００の状態に応じて、ソフトウェアの起動または切り替えを行ってもよい。あるいは、ＣＰＵ１０１は、ＰＣ１００の状態が上記（２）及び（３）のうちいずれの状態にあるかを検出し、検出されたＰＣ１００の状態に応じて、ソフトウェアの起動または切り替えを行ってもよい。あるいは、ＣＰＵ１０１は、ＰＣ１００の状態が上記（３）及び（４）のうちいずれの状態にあるかを検出し、検出されたＰＣ１００の状態に応じて、ソフトウェアの起動または切り替えを行ってもよい。
【００７８】
ここでいう「切り替え」とは、ソフトウェア「起動」も含む概念である。「切り替え」とは、この「起動」の他、既に起動されて、非アクティブとなっているソフトウェアをアクティブにすることで、ＣＰＵがそのソフトウェアプログラムを実行可能な状態とする処理も含む。
【００７９】
例えば、４つの状態のうち複数の状態が検出される場合、記憶部１０８は、複数のソフトウェアと、ＰＣ１００の４つの状態のうち複数の状態をそれぞれ示す情報とを対応付けて記憶していればよい。これにより、ＰＣ１００は、ＰＣ１００の状態に応じたソフトウェアを選択して起動することができる。
【００８０】
ソフトウェアは、ＯＳ（Operating System）でもよいし、ＯＳ上で動作するアプリケーションソフトウェアであってもよい。例えば、ＰＣ１００の状態がクラムシェル状態にある時、第１のＯＳを起動しており、ユーザによりＰＣがタブレット状態とされた時、第１のＯＳとは異なる第２のＯＳを起動させる。すなわち、デュアルブートである。もちろんこのような例に限られず、ＰＣは、各状態に応じて、３つ以上のＯＳを切り替えるようにしてもよい。例えば、第１のＯＳはWindows（登録商標）、第２のＯＳはAndroid（登録商標）、第３のＯＳはiOS等の例が挙げられる。
【００８１】
あるいは、ＰＣ１００は、各状態に応じて、１つのＯＳ内で異なるユーザインターフェース（ＵＩ）を切り替えてもよい。例えばＯＳがWindows（登録商標）8の場合、ＰＣ１００がクラムシェル状態にある時に通常のＵＩが用いられ、タブレット状態にある時にメトロＵＩが用いられてもよい。
【００８２】
あるいは、切り替えの対象となるソフトウェアが、ＯＳである場合に限られず、アプリケーションであってもよい。
【００８３】
例えば、ＰＣ１００が、クラムシェル状態またはタブレット状態にある時から、ビューワ状態に切り替えられた場合、ＰＣは、動画再生用のアプリケーションを自動起動させることができる。
【００８４】
あるいは、ビューワ状態にある時に、表示部１４の画面の全体または一部の領域について操作入力のアサイン（割り当て）の設定を行うアプリケーションがある。そのアプリケーションは、ビューワ状態にある時に、表示部１４によるタッチ操作入力用の操作画面を、表示部１４の全体または一部の領域に表示させる。その操作画面とは、例えば、動画の再生に関する操作画面である。その操作画面が複数の領域（例えば３つ以上）に分割され、右側領域が早送り、中央領域が再生及び停止、左側領域が早戻し等の操作領域となる。
【００８５】
別のアプリケーションの例として、ＰＣ１００は、ＰＣ１００の状態に応じて、表示部１４におけるタッチ操作入力の有効及び無効の切り替えを行うアプリケーションを備えてもよい。例えば、ＰＣ１００は、ＰＣ１００がタブレット状態にある時にタッチ操作入力を有効にし、それ以外の状態にある時にタッチ操作入力を無効にしてもよい。これによれば、ＰＣ１００は、タブレット状態にある時のみ、ユーザは表示部１４のタッチ操作による入力が可能となる。
【００８６】
あるいは、表示部１４のタッチ操作に限られず、ＰＣ１００は、ＰＣ１００の状態に応じて、キーボード１３、または、タッチパッド１５等の操作入力の有効及び無効を切り替えてもよい。
【００８７】
ここで、上記ＰＣ１００の状態の違いを検出する検出部としては、例えば、磁気または電気による検出がある。磁気による検出部の場合、磁気センサ及び永久磁石が、平行リンク機構２０の第１のアーム２１及び第２のアーム２２にそれぞれ配置されればよい。電気による検出部の場合、平行リンク機構２０を構成するいずれかの部材同士に電気的導通部が設けられていればよい。
【００８８】
例えば、ビューワ状態とそれ以外の状態とを検出する機構として、例えば永久磁石が本体１１（または表示体１２の下端部）に配置され、磁気センサが表示体１２の下端部（または本体１１）に配置されてもよい。
【００８９】
[その他の実施形態]
【００９０】
本技術は、以上説明した実施形態に限定されず、他の種々の実施形態を実現することができる。
【００９１】
表示体１２が表示部１４を有するだけでなく、本体も別の表示部を有していてもよい。その場合、本体は、ハードウェアのキーボード１３を有していてもよいし、有していなくてもよい。本体１１の対向面（上面）には、キーボード及びタッチパッドのうちいずれか一方は、設けられていなくてもよい。
【００９２】
あるいは、ＰＣ１００のキーボードが、本体の前側にあり、タッチパッドが後ろ側にあるように、本体が構成されていてもよい。
【００９３】
情報端末装置は、携帯電話の機能等を有していてもよい。その場合、情報端末装置のサイズは適宜変更可能である。
【００９４】
リンクアーム２３と第２のアーム２２とを接続する軸（上記実施形態におけるスライド軸２６に相当）が本体１１に接続されおらず、Ｚ−Ｙ面内で自由に動けるような平行リンク機構が構成されてもよい。
【００９５】
図１５〜２４は、平行リンク機構を用いた、さらに別の形態に係る情報端末装置（電子計算機）を示している。
【００９６】
以上説明した各形態の特徴部分のうち、少なくとも２つの特徴部分を組み合わせることも可能である。
【００９７】
本技術は以下のような構成もとることができる。
（１）第１のボディと、
表示側と、前記表示側の反対側とを有する第２のボディと、
前記第１のボディ及び前記第２のボディを回転可能に接続するヒンジ軸と、
前記第１のボディ及び第２のボディの相対的な姿勢状態のうち、前記反対側が情報端末装置の外側に向くようにして前記第１のボディ及び前記第２のボディが重なる第１の状態と、前記第１の状態から、前記第２のボディが前記第１のボディに対して前記ヒンジ軸を用いて相対的に回転移動する範囲にある前記情報端末装置の状態である第２の状態と、前記表示側が前記情報端末装置の外側に向くようにして前記第１のボディ及び前記第２のボディが重なる第３の状態と、前記第２の状態と前記第３の状態との間で、前記第２のボディの端部が前記ヒンジ軸に接離するように、前記第２のボディが前記第１のボディに相対的に移動する範囲にある前記情報端末装置の状態である第４の状態とを前記情報端末装置が取り得るように、前記第１のボディ及び前記第２のボディを接続する接続部材と
を具備する情報端末装置。
（２）（１）に記載の情報端末装置であって、
前記第１、第２、第３及び第４の状態のうち、少なくとも１つの状態を検出する検出部をさらに具備する
情報端末装置。
（３）（２）に記載の情報端末装置であって、
ソフトウェアを記憶する記憶部と、
前記検出部により検出された前記少なくとも１つの状態に応じて、前記記憶部に記憶された前記ソフトウェアを起動する制御部と
をさらに具備する情報端末装置。
（４）（２）に記載の情報端末装置であって、
前記検出部は、前記第１、第２、第３及び第４の状態のうち、複数の状態を検出する
情報端末装置。
（５）（４）に記載の情報端末装置であって、
複数のソフトウェアと、前記情報端末装置の前記複数の状態をそれぞれ示す情報とを対応付けて記憶する記憶部と、
前記複数のソフトウェアのうち、前記検出部により検出された、前記情報端末装置のいずれかの１つの状態を示す情報に対応するソフトウェアを起動する制御部と
をさらに具備する情報端末装置。
（６）（１）から（５）のうちいずれか１つに記載の情報端末装置であって、
前記接続部材は、前記ヒンジ軸と一体的に回転可能な、前記第２のボディに回転可能に接続された第１のアームと、前記第２のボディに回転可能に接続された第２のアームと、前記第１のアーム及び前記第２のアームを平行にリンクさせるリンクアームとを有する平行リンクである
情報端末装置。
（７）第１のボディと、表示側及び前記表示側の反対側を有する第２のボディと、前記第１のボディ及び前記第２のボディを回転可能に接続するヒンジ軸と、前記第１のボディ及び前記第２のボディを接続する接続部材とを備える情報端末装置の、前記第１のボディ及び第２のボディの相対的な姿勢状態のうち、前記反対側が前記情報端末装置の外側に向くようにして前記第１のボディ及び前記第２のボディが重なる第１の状態と、前記第１の状態から、前記第２のボディが前記第１のボディに対して前記ヒンジ軸を用いて相対的に回転移動する範囲にある前記情報端末装置の状態である第２の状態と、前記表示側が前記情報端末装置の外側に向くようにして前記第１のボディ及び前記第２のボディが重なる第３の状態と、前記第２の状態と前記第３の状態との間で、前記第２のボディの端部が前記ヒンジ軸に接離するように、前記第２のボディが前記第１のボディに相対的に移動する範囲にある前記情報端末装置の状態である第４の状態とのうち、少なくとも１つの状態を検出し、
前記検出された少なくとも１つの状態に応じてソフトウェアを起動する
情報処理方法。
【符号の説明】
【００９８】
１１…本体
１２…表示体
１４…表示部
２０…平行リンク機構
２１…第１のアーム
２２…第２のアーム
２３…リンクアーム
３０ｃ…ヒンジ軸
１００…ＰＣ（情報端末装置）
１０１…ＣＰＵ
１０８…記憶部
【図１】
2013161255.tif 000003
【図２】
2013161255.tif 000004
【図３】
2013161255.tif 000005
【図４】
2013161255.tif 000006
【図５】
2013161255.tif 000007
【図６】
2013161255.tif 000008
【図７】
2013161255.tif 000009
【図８】
2013161255.tif 000010
【図９】
2013161255.tif 000011
【図１０】
2013161255.tif 000012
【図１１】
2013161255.tif 000013
【図１２】
2013161255.tif 000014
【図１３】
2013161255.tif 000015
【図１４】
2013161255.tif 000016
【図１５】
2013161255.tif 000017
【図１６】
2013161255.tif 000018
【図１７】
2013161255.tif 000019
【図１８】
2013161255.tif 000020
【図１９】
2013161255.tif 000021
【図２０】
2013161255.tif 000022
【図２１】
2013161255.tif 000023
【図２２】
2013161255.tif 000024
【図２３】
2013161255.tif 000025
【図２４】
2013161255.tif 000026